(57)【要約】  本発明は、複数の記録フォーマットに対応する動作モードの切替処理を高速に行うことが可能な記録再生システムを提供する。  第１記録フォーマット及び第２の記録フォーマットとを有し、それぞれの記録フォーマットに対応した第１動作モード及び第２の動作モードが切替可能な記録再生装置と、前記記録再生装置に接続され記録データを前記記録再生装置に転送するパーソナルコンピュータと、からなる記録再生システムにおいて、前記記録再生装置のデバイスドライバとして、前記第１動作モード及び前記第２の動作モードのいずれの動作モードの場合にも前記パーソナルコンピュータのオペレーティングシステムに搭載される汎用ドライバを用いることを特徴とする。【特許請求の範囲】
【請求項１】
第１記録フォーマット及び第２の記録フォーマットとを有し、それぞれの記録フォーマットに対応した第１動作モード及び第２の動作モードが切替可能な記録再生装置と、前記記録再生装置に接続され記録データを前記記録再生装置に転送するパーソナルコンピュータと、からなる記録再生システムにおいて、
前記記録再生装置のデバイスドライバとして、前記第１動作モード及び前記第２の動作モードのいずれの動作モードの場合にも前記パーソナルコンピュータのオペレーティングシステムに搭載される汎用ドライバが用いられることを特徴とする記録再生システム。
【請求項２】
前記パーソナルコンピュータと前記記録再生装置とはＵＳＢバスを介して接続されており、
前記動作モードの切替を行う際に、前記パーソナルコンピュータと前記記録再生装置とはＵＳＢ規格に基づくベンダコマンドを送受信することにより動作モードの切替を行うことを特徴とする請求の範囲第１項に記載の記録再生システム。
【発明の詳細な説明】
【技術分野】
【０００１】
本発明は、記録再生システムに関する。
【背景技術】
【０００２】
現在、ミニディスク（ＭＤ）と呼ばれる光磁気記録方式によりデータを記録し再生も可能な小型のディスク状記録媒体が知られている。【０００３】
また、ＵＳＢ（Ｕｎｉｖｅｒｓａｌ  Ｓｅｒｉａｌ  Ｂｕｓ）を用いてパーソナルコンピュータ（ＰＣ）とＭＤ機器とを接続し、楽曲の著作権を保護しながらＰＣからＭＤ機器に音楽データを高速転送することができるＮｅｔＭＤ（登録商標）と呼ばれるインターフェース規格が知られている。【０００４】
また近年では、従来のＭＤがそのまま使用でき、変調方式や論理構造などを変更して記録容量を従来の約２倍の３００ＭＢに増加したＨｉ−ＭＤ（登録商標）と呼ばれる規格が知られている。このＨｉ−ＭＤは、音声データの他、画像データ等についても記録することができ、ＰＣ等の外部ストレージとして使用することもできる。【０００５】
Ｈｉ−ＭＤ規格の出現により、ＭＤは、従来の記録フォーマット及びＨｉ−ＭＤ記録フォーマットの２種類の記録フォーマットが選択可能となり、ＭＤ機器は、それぞれの記録フォーマットに対応した動作モードを有するようになった。（例えば、特許文献１参照。）
【特許文献１】特開２００５−７１５０６号公報
【発明の開示】
【発明が解決しようとする課題】
【０００６】
Ｈｉ−ＭＤ対応のＭＤ機器においては、ＵＳＢを用いてＰＣと接続した場合、従来のフォーマットに対応する動作モード（以下、ＮｅｔＭＤモードと称する）とＨｉ−ＭＤフォーマットに対応する動作モード（以下、Ｈｉ−ＭＤモードと称する）とで、使用するデバイスドライバが異なり、ＮｅｔＭＤモードでは、ＭＤ機器メーカーが供給する専用ドライバを使用し、Ｈｉ−ＭＤモードでは、オペレーティングシステム（ＯＳ）に搭載されている汎用ドライバを使用している。【０００７】
このため、動作モードを切り替える毎にデバイスドライバを繋ぎ直さなければならず、繋ぎ直しの処理に時間が掛かるという問題があった。【０００８】
本発明は、以上のような問題に鑑みてなされたものであり、複数の記録フォーマットに対応する動作モードの切替処理を高速に行うことが可能な記録再生システムを提供することを目的としている。
【課題を解決するための手段】
【０００９】
（１）第１記録フォーマット及び第２の記録フォーマットとを有し、それぞれの記録フォーマットに対応した第１動作モード及び第２の動作モードが切替可能な記録再生装置と、前記記録再生装置に接続され記録データを前記記録再生装置に転送するパーソナルコンピュータと、からなる記録再生システムにおいて、前記記録再生装置のデバイスドライバとして、前記第１動作モード及び前記第２の動作モードのいずれの動作モードの場合にも前記パーソナルコンピュータのオペレーティングシステムに搭載される汎用ドライバが用いられることを特徴とする記録再生システム。【００１０】
（２）前記パーソナルコンピュータと前記記録再生装置とはＵＳＢバスを介して接続されており、前記動作モードの切替を行う際に、前記パーソナルコンピュータと前記記録再生装置とはＵＳＢ規格に基づくベンダコマンドを送受信することにより動作モードの切替を行うことを特徴とする（１）に記載の記録再生システム。
【発明の効果】
【００１１】
本発明の記録再生システムによれば、第１の動作モード及び第２の動作モードの双方の動作モードにおいて汎用ドライバを使用することができるので、動作モードを切り替える毎にデバイスドライバを繋ぎ直さなければならず繋ぎ直しの処理に時間が掛かるという問題がなく、複数の記録フォーマットに対応する動作モードの切替処理を高速に行うことが可能となる。
【図面の簡単な説明】
【００１２】
【図１】本実施形態に係る記録再生システムの構成図である。
【図２】本実施形態に係るメディアドライブ部の構成図である。
【図３】本実施形態に係る記録再生システムのソフトウエアの構成図である。
【図４】本実施形態に係る記録再生システムにおけるＰＣと記録再生装置との接続及び動作モードの切替を示すフロー図である。
【符号の説明】
【００１３】
１０  パーソナルコンピュータ
２０  記録再生装置
２５  メディアドライブ部
４９，６２  セレクタ
３０  ＵＳＢハブ
１００  アプリケーション
１０１  デバイスドライバ
【発明を実施するための最良の形態】
【００１４】
（システムの構成）
図１は、本実施形態に係る記録再生システムの構成図である。ＰＣ１０と記録再生装置２０とがＵＳＢバス３０を介して接続されている。【００１５】
ＰＣ１０は、プログラムに従って各種演算処理を実行するＣＰＵ１１を中心に、バス１２により相互に接続された次の各部を備える。【００１６】
ＲＯＭ１３は、ＢＩＯＳ等のプログラムやデータが予め格納されるメモリであり、ＲＡＭ１４は、ＣＰＵ１１で各種演算処理を実行するのに必要な各種プログラムやデータが一時的に読み出されるメモリである。【００１７】
ＨＤＤ１５は、ＲＡＭ１４にロードされて実行されるＯＳ、音楽データの取り込みから編集、保存、転送まで一括して管理できるデジタルオーディオソフト及びデバイスドライバ等のプログラムや音楽コンテンツデータ等のデータを記憶する記憶装置である。これらのプログラムやデータは、ＰＣ１０に接続された図示しないＣＤ−ＲＯＭドライブを用いてＣＤ−ＲＯＭからＨＤＤ１５にロードされる。【００１８】
ネットワークインターフェイスカード（ＮＩＣ）１６は、ネットワークに接続するためのインターフェイスであり、このＮＩＣ１６を介してコンテンツサーバに接続することにより、音楽コンテンツデータをＨＤＤ１５にダウンロードすることも可能である。【００１９】
入力部１７は、ユーザが各種情報を入力するためのキーボードやマウス等で構成され、表示部１８は、各種情報を表示するための液晶ディスプレイ等から構成される。ユーザは、表示部１８に表示されたデジタルオーディオソフトの表示画面上で、入力部１７を用いて、ＮｅｔＭＤモード又はＨｉ−ＭＤモードの動作モードの選択を行うことができる。【００２０】
ＵＳＢインターフェース１９は、ＵＳＢバス３０を介して記録再生装置２０との間でデータの送受信を行うインターフェースである。【００２１】
記録再生装置２０は、プログラムに従って各種演算処理を実行するＣＰＵ２１を中心に、バス２２により相互に接続された次の各部を備える。【００２２】
ＲＯＭ２３は、記録再生装置２０の動作を制御するプログラムやデータが予め格納されるメモリであり、ＲＡＭ２４は、ＣＰＵ１１で各種演算処理を実行するのに必要な各種プログラムやデータが一時的に読み出されるメモリである。【００２３】
メディアドライブ部２５は、ＭＤメディア４０に対するデータの記録及び再生を行う。【００２４】
ＵＳＢインターフェース２６は、ＵＳＢバス３０を介してＰＣ１０との間でデータの送受信を行うインターフェースである。【００２５】
（メディアドライブ部の構成）
図２は、本実施形態に係るメディアドライブ部２５の構成図である。メディアドライブ部２４は、ＮｅｔＭＤモード及びＨｉ−ＭＤモードで記録及び再生を行うために、以下の特徴を有している。【００２６】
ＮｅｔＭＤモードでは、変調方式としてＥＦＭ（Ｅｉｇｈｔ  ｔｏ  Ｆｏｕｒｔｅｅｎ
Ｍｏｄｕｒａｔｉｏｎ）変調方式、エラー訂正方式としてＡＣＩＲＣ（Ａｄｖａｎｃｅｄ  Ｃｒｏｓｓ  Ｉｎｔｅｒｌｅａｖｅ  Ｒｅｅｄ  Ｓｏｌｏｍｏｎ  Ｃｏｄｅ）方式を用い、Ｈｉ−ＭＤモードでは、変調方式としてＲＬＬ（１−７）ＰＰ変調方式［ＲＬＬ：Ｒｕｎ  Ｌｅｎｇｔｈ  Ｌｉｍｉｔｅｄ、ＰＰ：Ｐａｒｉｔｙ  ｐｒｅｓｅｒｖｅ／Ｐｒｏｈｉｂｉｔ  ｒｍｔｒ（ｒｅｐｅａｔｅｄ  ｍｉｎｉｍｕｍ  ｔｒａｎｓｉｔｉｏｎ  ｒｕｎｌｅｎｇｔｈ）］、エラー訂正方式として、ＢＩＳ（Ｂｕｒｓｔ  Ｉｎｄｉｃａｔｏｒ  Ｓｕｂｃｏｄｅ）付きのＲＳ−ＬＤＣ（Ｒｅｅｄ  Ｓｏｌｏｍｏｎ−Ｌｏｎｇ  Ｄｉｓｔａｎｃｅ  Ｃｏｄｅ）方式を用いている。【００２７】
装填されたＭＤメディア４０は、スピンドルモータ４１によってＣＬＶ方式又はＺＣＡＶ方式にて回転駆動されるとともに、光学ヘッド４２からレーザ光が照射される。【００２８】
光学ヘッド４２は、レーザ出力手段としてのレーザダイオード、偏向ビームスプリッタや対物レンズからなる光学系及び反射光を検出するためのディテクタを有し、記録時には、記録トラックをキュリー温度まで加熱するための高レベルのレーザ出力を行い、再生時には、磁気カー効果により反射光からデータを検出するための低レベルのレーザ出力を行う。光学ヘッド４２の対物レンズは、例えば２軸機構によってＭＤメディア４０の半径方向及びＭＤメディア４０に接離する方向に変位可能に保持されている。【００２９】
ＭＤメディア４０を挟んで光学ヘッドと対向する位置には、磁気ヘッド４３が配置されている。磁気ヘッド４３は、記録データによって変調された磁界をＭＤメディア４０に印加する。光学ヘッド４２及び磁気ヘッド４３は、図示しないスレッドモータ及びスレッド機構により、ＭＤメディア４０の半径方向に移動可能に保持されている。【００３０】
再生時において、光学ヘッドのディテクタにより検出された光電流は、ＲＦアンプ４４に入力される。ＲＦアンプ４４では、入力された光電流に対して電流−電圧変換、増幅、マトリクス演算等を行い、再生情報としての再生ＲＦ信号、トラッキングエラー信号ＴＥ、フォーカスエラー信号ＦＥ、グルーブ情報（ＭＤメディア４０にトラックのウォブリングにより記録されているＡＤＩＰ（Ａｄｄｒｅｓｓ  ｉｎ  Ｐｒｅ−ｇｒｏｏｖｅ）情報）等を抽出する。【００３１】
ＮｅｔＭＤモードにおける再生では、ＲＦアンプ４４で得られた再生ＲＦ信号は、コンパレータ４５、ＰＬＬ回路４６を介して、ＥＦＭ復調部４７及びＡＣＩＲＣデコーダ４８で処理される。再生ＲＦ信号は、ＥＦＭ復調部４７において２値化されてＥＦＭ信号列とされた後ＥＦＭ復調され、ＡＣＩＲＣデコーダ４８において誤り訂正及びデインタリーブ処理される。このとき、セレクタ４９は、ＮｅｔＭＤモード側が選択されており、復調されたデータがＭＤメディア４０からの再生データとしてデータバッファ５０に出力される。【００３２】
一方、Ｈｉ−ＭＤモードにおける再生では、ＲＦアンプ４４で得られた再生ＲＦ信号は、Ａ／Ｄ変換回路５１、イコライザ５２、ＰＬＬ回路５３、ＰＲＭＬ回路５４を介して、ＲＬＬ（１−７）ＰＰ復調部５５及びＲＳ−ＬＤＣデコーダ５６で信号処理される。再生ＲＦ信号は、ＲＬＬ（１−７）ＰＰ復調部５５において、ＰＲ（１，２，１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダ５６にて誤り訂正及びデインタリーブ処理される。このとき、セレクタ４９は、Ｈｉ−ＭＤ１側が選択されており、復調されたデータがＭＤメディア４０からの再生データとしてデータバッファ５０に出力される。【００３３】
ＲＦアンプ４４から出力されるトラッキングエラー信号ＴＥ、フォーカスエラー信号ＦＥは、サーボ回路５７に供給され、グルーブ情報は、ＡＤＩＰデコータ５８に供給される。【００３４】
ＡＤＩＰデコータ５８は、グルーブ情報に対してバンドパスフィルタにより帯域制限してウォブル成分を抽出した後、ＦＭ復調、バイフェーズ復調を行ってＡＤＩＰアドレスを抽出する。抽出されたＭＤメディア上の絶対アドレス情報であるＡＤＩＰアドレスは、ＭＤアドレスデコーダ５９を介してドライブコントローラ６０に供給される。【００３５】
ドライブコントローラ６０では、各ＡＤＩＰアドレスに基づいて、所定の制御処理を実行する。またグルーブ情報は、スピンドルサーボ制御のためにサーボ回路５７に戻される。【００３６】
サーボ回路５７は、例えばグルーブ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成する。【００３７】
またサーボ回路５７は、スピンドルエラー信号や、上記のようにＲＦアンプ４４から供給されたトラッキングエラー信号、フォーカスエラー信号、或いはドライブコントローラ６０からのトラックジャンプ指令、アクセス指令等に基づいて各種サーボ制御信号（トラッキング制御信号、フォーカス制御信号、スレッド制御信号、スピンドル制御信号等）を生成し、モータドライバ６１に対して出力する。すなわち、上記サーボエラー信号や指令に対して位相補償処理、ゲイン処理、目標値設定処理等の必要処理を行って各種サーボ制御信号を生成する。【００３８】
モータドライバ６１では、サーボ回路５７から供給されたサーボ制御信号に基づいて所定のサーボドライブ信号を生成する。サーボドライブ信号としては、２軸機構を駆動する２軸ドライブ信号（フォーカス方向、トラッキング方向の２種）、スレッド機構を駆動するスレッドモータ駆動信号、スピンドルモータ４１を駆動するスピンドルモータ駆動信号となる。このようなサーボドライブ信号により、ＭＤメディア４０に対するフォーカス制御、トラッキング制御、及びスピンドルモータ４１に対するＣＬＶ制御又はＺＣＡＶ制御が行われる。【００３９】
次に、ＭＤメディア４０に対する記録時においては、バス２２を介してメディアドライブ部２４のデータバッファ５０にデータが供給される。【００４０】
ＮｅｔＭＤモードにおける記録では、セレクタ６２が従来のＮｅｔＭＤモード側に接続され、ＡＣＩＲＣエンコーダ６３及びＥＦＭ変調部６４が機能する。このとき、データバッファ５０のデータは、ＡＣＩＲＣエンコーダ６３でインタリーブ及びエラー訂正コード付加が行われた後、ＥＦＭ変調部６４においてＥＦＭ変調される。ＥＦＭ変調データがセレクタ６２を介して磁気ヘッドドライバ６５に供給され、磁気ヘッド４３がＭＤメディア４０に対してＥＦＭ変調データに基づいた磁界印加を行うことで変調されたデータが記録される。【００４１】
一方、Ｈｉ−ＭＤモードにおける記録時では、セレクタ６２がＨｉ−ＭＤモード側に接続され、ＲＳ−ＬＣＤエンコーダ６６及びＲＬＬ（１−７）ＰＰ変調部６７が機能する。このとき、データバッファ５０のデータは、ＲＳ−ＬＣＤエンコーダ６６でインタリーブ及びＲＳ−ＬＤＣ方式のエラー訂正コード付加が行われた後、ＲＬＬ（１−７）ＰＰ変調部６７にてＲＬＬ（１−７）変調される。ＲＬＬ（１−７）符号列に変調された記録データは、セレクタ６２を介して磁気ヘッドドライバ６５に供給され、磁気ヘッド４３がＭＤメディア４０に対して変調データに基づいた磁界印加を行うことでデータが記録される。【００４２】
レーザドライバ／ＡＰＣ６８は、上記のような再生時及び記録時においてレーザダイオードにレーザ発光動作を実行させるが、いわゆるＡＰＣ（Ａｕｔｏｍａｔｉｃ  Ｌａｓｅｒ  Ｐｏｗｅｒ  Ｃｏｎｔｒｏｌ）動作も行う。具体的には、図示しないが、光学ヘッド４２内には、レーザパワーモニタ用のディテクタが設けられており、このモニタ信号がレーザドライバ／ＡＰＣ６８にフィードバックされるようになっている。レーザドライバ／ＡＰＣ６８は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、ドライブコントローラ６０によって、再生レーザパワー及び記録レーザパワーとしての値がレーザドライバ／ＡＰＣ４８内部のレジスタにセットされる。【００４３】
ドライブコントローラ６０は、ＣＰＵ２１からの指示に基づいて、以上の各動作（アクセス、各種サーボ、データ書込、データ読出の各動作）が実行されるように各構成を制御する。【００４４】
（ソフトウエアの構成）
図３は、本実施形態に係る記録再生システムのソフトウエアの構成図である。このソフトウエアの構成は、ＰＣ１０のＨＤＤ１５にインストールされたプログラムとしての構成であり、ＣＰＵ１１が当該ソフトウエアに基づいて処理を行うことで、ＰＣ１０が、接続されている記録再生装置２０に対して、コンテンツデータの転送等の処理に関する制御を実行する。【００４５】
アプリケーション１００は、ＣＤ−ＲＯＭやインターネットからのコンテンツデータの入手、コンテンツデータの編集、コンテンツデータの記録再生装置２０への転送等をＰＣ１０に実行させるデジタルオーディオソフトである。【００４６】
デバイスドライバ１０１は、ＯＳに搭載される汎用ＵＳＢドライバで、アプリケーション１０１からのリード、ライトのリクエストをそのままＵＳＢプロトコルに変換して記録再生装置２０に転送するものである。【００４７】
本発明の記録再生システムにおいては、従来技術のものが、ＮｅｔＭＤモードではＭＤ機器メーカーが供給する専用ドライバを使用し、Ｈｉ−ＭＤモードではオペレーティングシステム（ＯＳ）に搭載されている汎用ドライバを使用しているのに対し、ＮｅｔＭＤモード及びＨｉ−ＭＤモードの双方のモードにおいて汎用ドライバを使用している。【００４８】
双方の動作モードにおいて汎用ドライバを使用するために、ＵＳＢ規格に基づくベンダリクエストを利用する。ＯＳが提供するＵＳＢを使用する際のＡＰＩ（Ａｐｐｌｉｃａｔｉｏｎ  Ｐｒｏｇｒａｍ  Ｉｎｔｅｒｆａｃｅ）を利用してアプリケーション１００にてベンダリクエストを作成する。また、記録再生装置２０側において、このベンダリクエストに応じるレスポンスコマンドを作成する。【００４９】
（動作モードの切替）
図４は、本実施形態に係る記録再生システムにおけるＰＣと記録再生装置との接続及び動作モードの切替を示すフロー図である。まず、ＰＣ１０への記録再生装置２０の接続について説明する。ＰＣ１０は、記録再生装置２０が接続されたことを検知すると（Ｓ１）、ＵＳＢ規格に基づくデバイスリクエストを送信する（Ｓ２）。このデバイスリクエストに対して、記録再生装置２０は、各種ディスクリプタを応答する（Ｓ３）。この応答により、ＰＣ１０は、汎用ドライバであるデバイスドライバ１０１をロードし、接続が完了する（Ｓ４）。【００５０】
次に、動作モードの切替について説明する。動作モードの切替は、表示部１８に表示されたアプリケーションの表示画面上において、マウス等の入力部１７を用いてＮｅｔＭＤモードからＨｉ−ＭＤモードへの切替、又はＨｉ−ＭＤモードからＮｅｔＭＤモードへの切替を行う。尚、記録再生装置２０側から動作モードの切替を行うことも可能である。【００５１】
ＮｅｔＭＤモードからＨｉ−ＭＤモードへの切替が指示されると（Ｓ５）、その旨のベンダリクエストがＰＣ１０から記録再生装置２０へ送信される（Ｓ６）。記録再生装置２０は、当該ベンダリクエストを受信するとＮｅｔＭＤモードからＨｉ−ＭＤモードへ動作モードの切替を行い（図２におけるセレクタ４９，６２の切替を行う）（Ｓ７）、当該ベンダリクエストに対する切替完了の応答をＰＣ１０に送信する（Ｓ８）。【００５２】
同様に、Ｈｉ−ＭＤモードからＮｅｔＭＤモードへの切替が指示されると、その旨のベンダリクエストがＰＣ１０から記録再生装置２０へ送信される。記録再生装置２０は、当該ベンダリクエストを受信するとＨｉ−ＭＤモードからＮｅｔＭＤモードへ動作モードの切替を行い（図２におけるセレクタ４９，６２の切替を行う）、当該ベンダリクエストに対する切替完了の応答をＰＣ１０に送信する。【００５３】
このように、本発明の記録再生システムにおいては、ＵＳＢ規格に基づくベンダコマンドを用いてＰＣ１０と記録再生装置２０との間で送受信を行うことにより、ＮｅｔＭＤモード及びＨｉ−ＭＤモードの双方の動作モードにおいて汎用ドライバを使用することができる。そのため、動作モードを切り替える毎にデバイスドライバを繋ぎ直さなければならず繋ぎ直しの処理に時間が掛かるという問題がなく、複数の記録フォーマットに対応する動作モードの切替処理を高速に行うことが可能となる。
【図１】
2007020750.tif 000002
【図２】
2007020750.tif 000003
【図３】
2007020750.tif 000004
【図４】
2007020750.tif 000005
【国際調査報告】
2007020750.tif 000006
2007020750.tif 000007